(57)【要約】【課題】移動局が、所定の通信品質が悪化するような移動速度で移動する場合であっても、当該所定の通信品質を向上させ、無線容量を増大させることができる移動通信システム及び移動通信方法を提供する。【解決手段】推定部１２０は、移動速度又は移動速度の増減に伴って増減する値である移動速度情報を推定し、比較部１３０又は比較部３２０は、移動速度によって変動する所定の通信品質が、所望のレベルになる移動速度情報の特定の値である閾値と、推定された移動速度情報とを比較し、選択部１５０又は選択部３４０は、比較結果に基づいて、使用する周波数帯を選択する【選択図】図２
2006074265.tif 000002
【特許請求の範囲】
【請求項１】
移動局と、無線基地局とが特定の周波数帯を使用して通信しうる移動通信システムであって、
前記移動速度若しくは移動速度の増減に伴って増減する値である移動速度情報を推定する推定手段と、
移動速度によって変動する所定の通信品質が、所望のレベルになる、前記移動速度情報の特定の値である閾値と、前記推定手段によって推定された前記移動速度情報とを比較する比較手段と、
前記比較手段による比較結果に応じて、前記移動局と前記無線基地局との間の通信に用いられる周波数帯を選択する選択手段と
を備えることを特徴とする移動通信システム。
【請求項２】
前記所定の通信品質は、チャネル推定精度の劣化の度合いであって、前記選択手段は、前記移動速度情報が前記閾値を上回る場合に、低い周波数帯を選択することを特徴とする請求項１に記載の移動通信システム。
【請求項３】
前記所定の通信品質は、インターリーブ効果の大きさであって、前記選択手段は、前記移動速度情報が前記閾値を下回る場合に、高い周波数帯を選択することを特徴とする請求項１に記載の移動通信システム。
【請求項４】
前記所定の通信品質は、共有チャネルのユーザダイバーシチ効果の大きさであって、前記選択手段は、前記移動速度情報が前記閾値を上回る場合に、低い周波数帯を選択することを特徴とする請求項１に記載の移動通信システム。
【請求項５】
無線リンクを確立すべき無線基地局を検出するセルサーチの際に、前記選択手段によって選択された周波数帯で無線リンクを確立できる前記無線基地局を検出する検出手段を更に備えることを特徴とする請求項１乃至４のいずれか１項に記載の移動通信システム。
【請求項６】
前記移動局が発信する際又は着信する際に、前記選択手段によって選択された周波数帯に属するチャネルを割り当てる割当手段を更に備えることを特徴とする請求項１乃至５のいずれか１項に記載の移動通信システム。
【請求項７】
前記推定手段は、前記移動速度情報を、チャネル推定値、又は、ＧＰＳによって検出される位置情報から推定することを特徴とする請求項１乃至６のいずれか１項に記載の移動通信システム。
【請求項８】
前記移動速度情報、前記比較結果、又は、前記選択された周波数帯のうち、少なくともいずれか１つを、前記無線基地局を制御する無線回線制御局に通知する第１の通知手段を更に備え、
前記推定手段と前記第１の通知手段とは、前記無線基地局に備えられることを特徴とする請求項１乃至７のいずれか１項に記載の移動通信システム。
【請求項９】
前記移動速度情報、前記比較結果、又は、前記選択された周波数帯のうち、少なくともいずれか１つを、前記無線基地局に通知する第２の通知手段を更に備え、
前記推定手段と前記第２の通知手段とは、前記移動局に備えられることを特徴とする請求項１乃至７のいずれか１項に記載の移動通信システム。
【請求項１０】
移動局と、無線基地局とが特定の周波数帯を使用して通信しうる移動通信方法であって、
前記移動速度若しくは前記移動速度の増減に伴って増減する値である移動速度情報を、推定するステップと、
移動速度によって変動する所定の通信品質が、所望のレベルになる、前記移動速度情報の特定の値である閾値と、推定された前記移動速度とを比較するステップと、
比較結果に応じて、前記移動局と前記無線基地局との間の通信に用いられる周波数帯を選択するステップと
を備えることを特徴とする移動通信方法。
【発明の詳細な説明】
【技術分野】
【０００１】
本発明は、移動局と無線基地局とが特定の周波数帯を使用して通信しうる移動通信システム及び移動通信方法に関する。
【背景技術】
【０００２】
移動通信システムが、技術の進歩によって大きく変更されることは世代交代と呼ばれ、変更前のシステムと変更後のシステムとはそれぞれ異なる世代として認識されている。この世代交代がスムースに行われるようにするため、世代毎に周波数帯が割り当てられる。例えば、第２世代移動通信システムには、主に８００ＭＨｚ帯が割り当てられ、第３世代移動通信システムには、主に２ＧＨｚ帯が割り当てられている。
【０００３】
尚、周波数帯の割当は、国際的にはＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ−Ｒａｄｉｏ  Ｃｏｍｍｕｎｉｃａｔｉｏｎ  Ｓｅｃｔｏｒ）によって、各国においては、行政機関によって行われている。又、第３世代移動通信システムに含まれる複数の方式のシステム間で、ＲＦ（Ｒａｄｉｏ  Ｆｒｅｑｕｅｎｃｙ）部の世界共通化及び国際ローミングを可能とするため、第３世代移動通信システムには、国際的に２ＧＨｚ帯の周波数帯が割り当てられている。
【０００４】
第２世代移動通信システムや、その他、固定系無線伝送等のシステムが利用されなくなった場合であって、第３世代移動通信システムの利用者が増大した場合には、利用されなくなったシステムに対して割り当てられていた周波数帯が第３世代移動通信システムに割り当てられることも行われる。このような場合には、同一の移動通信システムが、複数の周波数帯を利用できる状態となる。
【０００５】
又、現在、日本においては、第２世代移動通信システムにも８００ＭＨｚ帯と１．５ＧＨｚ帯の２つの周波数帯が割り当てられている。第２世代移動通信システムには、当初、８００ＭＨｚ帯のみが割り当てられていたが、利用者数の増加に伴い、１．５ＧＨｚ帯も追加して割り当てられた。
【０００６】
従来、複数の周波数帯を利用できる移動通信システムにおいては、ランダムに、若しくは、カバーされるエリアの大きさや無線容量等を考慮して使用する周波数帯を選択することが行われている。又、移動局の移動速度が通信品質に影響を与えることから、移動局の移動速度を考慮して、使用する周波数帯を選択することも行われている（例えば、特許文献１参照）。
【特許文献１】特開平５−２５９９６９号公報
【発明の開示】
【発明が解決しようとする課題】
【０００７】
しかしながら、従来技術では、使用する周波数帯を選択する際に、通信品質が考慮されていなかったため、所定の通信品質を確実に向上させ、無線容量を増大させることが困難であった。
【０００８】
そこで、本発明は、上記の問題に鑑み、移動局が、所定の通信品質が悪化するような移動速度で移動する場合であっても、当該所定の通信品質を向上させ、無線容量を増大させることができる移動通信システム及び移動通信方法を提供することを目的とする。
【課題を解決するための手段】
【０００９】
上記目的を達成するため、本発明の第１の特徴は、移動局と、無線基地局とが特定の周波数帯を使用して通信しうる移動通信システムであって、（イ）移動速度若しくは移動速度の増減に伴って増減する値である移動速度情報を推定する推定手段と、（ロ）移動速度によって変動する所定の通信品質が、所望のレベルになる、移動速度情報の特定の値である閾値と、推定手段によって推定された移動速度情報とを比較する比較手段と、（ハ）比較手段による比較結果に応じて、移動局と無線基地局との間の通信に用いられる周波数帯を選択する選択手段とを備えることを要旨とする。
【００１０】
第１の特徴に係る移動通信システムによると、比較手段は、移動速度によって変動する所定の通信品質が、所望のレベルになる移動速度情報の特定の値である閾値と、推定手段によって推定された移動速度情報とを比較し、選択手段は、比較手段による比較結果に基づいて、使用する周波数帯を選択するため、移動局が、所定の通信品質が悪化するような移動速度で移動する場合であっても、当該所定の通信品質を向上させ、無線容量を増大させることができる。
【００１１】
又、第１の特徴に係る移動通信システムにおいて、所定の通信品質は、チャネル推定精度の劣化の度合いであって、選択手段は、移動速度情報が閾値を上回る場合に、低い周波数帯を選択するように構成されていてもよい。
【００１２】
この移動通信システムによると、所定の通信品質としてチャネル推定精度の劣化の度合いが考慮されるため、選択手段は、移動速度及び使用する周波数帯によって変動する通信品質であるチャネル推定精度の劣化の度合いを考慮した明確な基準に基づいて、使用する周波数帯を選択することができる。ここで、チャネル推定精度とは、フェージングによる、受信信号の位相及び振幅の変動の推定値であるチャネル推定値の正確性である。
【００１３】
チャネル推定精度は、フェージング変動や周波数ドリフトの影響によって劣化する。フェージング変動や周波数ドリフトの影響は、使用する周波数帯が高いほど、又、移動局の移動速度が速いほど大きくなる。従って、選択手段は、移動速度情報が閾値を上回る場合に、低い周波数帯を選択することによって、移動局が、チャネル推定精度が劣化するような高速な移動速度で移動する場合であっても、フェージング変動や周波数ドリフトの影響を抑え、チャネル推定精度を向上させることができる。
【００１４】
第１の特徴に係る移動通信システムにおいて、所定の通信品質は、インターリーブ効果の大きさであって、選択手段は、移動速度情報が閾値を下回る場合に、高い周波数帯を選択するように構成されていてもよい。
【００１５】
この移動通信システムによると、移動速度及び使用する周波数帯によって変動する通信品質であるインターリーブ効果の大きさを考慮した明確な基準に基づいて、使用する周波数帯を選択することができる。ここで、インターリーブ効果とは、誤り訂正符号の付加をした後、ある程度の期間にわたってビットの順番を並べ替えるインターリーブ処理によって、短期間の信号電力低下による受信信号の誤りを、受信側で訂正できることをいう。但し、ビットの順番を並べ替える期間、即ち、インターリーブ周期は有限（通常、２ｍｓ〜８０ｍｓ）である。このため、フェージング変動が遅い場合には、誤りを訂正できないほど長時間、信号電力が低下する場合がある。
【００１６】
又、フェージング変動は、使用する周波数帯が高いほど、又、移動局の移動速度が速いほど速くなる。従って、選択手段は、移動速度情報が閾値を下回る場合に、高い周波数帯を選択することによって、移動局が、インターリーブ効果が小さくなるような低速な移動速度で移動する場合であっても、フェージング変動の影響を抑え、インターリーブ効果を大きくすることができる。
【００１７】
第１の特徴に係る移動通信システムにおいて、所定の通信品質は、共有チャネルのユーザダイバーシチ効果の大きさであって、選択手段は、移動速度情報が閾値を上回る場合に、低い周波数帯を選択するように構成されていてもよい。
【００１８】
この移動通信システムによると、移動速度及び使用する周波数帯によって変動する通信品質であるユーザダイバーシチ効果の大きさを考慮した明確な基準に基づいて、使用する周波数帯を選択することができる。ここで、ユーザダイバーシチ効果とは、チャネルが複数のユーザによって共有される場合に、各ユーザとの通信信号のチャネル変動に応じて、瞬時のチャネル状態の良いユーザに送信を割り当てることによる、伝送効率の向上をいう。尚、各ユーザのチャネル変動に応じた最適な伝送レートの変更は、例えばＷ−ＣＤＭＡ（Ｗｉｄｅ  ｂａｎｄ  Ｃｏｄｅ  Ｄｉｖｉｓｉｏｎ  Ｍｕｌｔｉｐｌｅ  Ａｃｃｅｓｓ）方式で採用されているＨＳＤＰＡ（Ｈｉｇｈ  Ｓｐｅｅｄ  Ｄａｔａ  Ｐａｃｋｅｔ  Ａｃｃｅｓｓ）によって行われる（３ＧＰＰ  ＴＳ２５．８４８  ｖ４．０．０．参照）。但し、フェージング変動が速くなると、チャネル変動に追従することができなくなるため、十分なユーザダイバーシチ効果が得られない。
【００１９】
又、フェージング変動は、使用する周波数帯が高いほど、又、移動局の移動速度が速いほど速くなる。このため、選択手段が、移動速度情報が閾値を上回る場合に、低い周波数帯を選択することによって、移動局が、ユーザダイバーシチ効果が小さくなるような高速な移動速度で移動する場合であっても、フェージング変動の影響を抑え、ユーザダイバーシチ効果を大きくすることができる。
【００２０】
又、第１の特徴に係る移動通信システムは、（ニ）無線リンクを確立すべき無線基地局を検出するセルサーチの際に、選択手段によって選択された周波数帯で無線リンクを確立できる無線基地局を検出することを特徴とする検出手段を更に備えるように構成されていてもよい。
【００２１】
この移動通信システムによると、移動局の電源投入時や、ソフトハンドオーバの前、又は、待ち受け状態に行われるセルサーチにおいて、検出手段が、所望の通信品質を考慮した明確な基準に基づいて選択された周波数帯で無線リンクを確立できる無線基地局を検出するため、移動局と無線基地局との間で、所望の通信品質を考慮した明確な基準に基づいて選択された周波数帯で無線リンクが確立される。従って、移動局が、所定の通信品質が悪化するような移動速度で移動する場合であっても、当該所定の通信品質を向上させ、無線容量を増大させることができる。
【００２２】
第１の特徴に係る移動通信システムは、（ホ）移動局が発信する際又は着信する際に、選択手段によって選択された周波数帯に属するチャネルを割り当てる割当手段を更に備えるように構成されていてもよい。
【００２３】
この移動通信システムによると、移動局が発信する際又は着信する際に、割当手段が、選択手段によって選択された周波数帯に属するチャネルを割り当てるため、所望の通信品質を考慮した明確な基準に基づいて選択された周波数帯に属するチャネルが、発信又は着信した呼のために割り当てられる。従って、移動局が、所定の通信品質が悪化するような移動速度で移動する場合であっても、当該所定の通信品質を向上させ、無線容量を増大させることができる。
【００２４】
第１の特徴に係る移動通信システムにおいて、推定手段は、移動速度情報を、チャネル推定値、又は、ＧＰＳによって検出される位置情報から推定するように構成されていてもよい。
【００２５】
この移動通信システムによると、推定手段が、移動速度情報を、チャネル推定値、又は、ＧＰＳによって検出される位置情報から推定するため、従来の移動通信システムにおいて送受信されていた信号に基づいて、移動速度情報が推定される。
【００２６】
第１の特徴に係る移動通信システムは、（ヘ）移動速度情報、比較結果、又は、選択された周波数帯のうち、少なくともいずれか１つを、無線基地局を制御する無線回線制御局に通知する第１の通知手段を更に備え、推定手段と第１の通知手段とは、無線基地局に備えられるように構成されていてもよい。
【００２７】
この移動通信システムによると、無線基地局によって移動速度情報が推定され、無線回線制御局に通知されるため、無線回線制御局が、適切な周波数帯を選択することが可能となる。又、移動局ではなく、ネットワーク側で周波数帯を選択するため、周波数帯を選択する際に、移動速度以外の事情も考慮に入れた総合的な判断が可能になる。
【００２８】
ここで、無線回線制御局とは、基地局と移動局との無線通信を制御する装置である。
【００２９】
第１の特徴に係る移動通信システムは、（ト）移動速度情報、比較結果、又は、選択された周波数帯のうち、少なくともいずれか１つを、無線基地局に通知する第２の通知手段を更に備え、推定手段と通知手段とは、移動局に備えられるように構成されていてもよい。
【００３０】
この移動通信システムによると、移動局によって移動速度情報が測定されるため、移動局が自律的に適切な周波数帯を選択することが可能となり、ネットワークの負荷を低減することができる。又、第２の通知手段は移動速度情報、比較結果、又は、選択された周波数帯のうち、少なくともいずれか１つを無線基地局に通知するため、移動速度情報等は、無線基地局を介して無線回線制御局に送信され得る。このため、無線回線制御局によって、適切な周波数帯を選択することも可能である。
【００３１】
本発明の第２の特徴は、移動局と、無線基地局とが特定の周波数帯を使用して通信しうる移動通信方法であって、（イ）移動速度若しくは移動速度の増減に伴って増減する値である移動速度情報を、推定するステップと、（ロ）移動速度によって変動する所定の通信品質が、所望のレベルになる、移動速度情報の特定の値である閾値と、推定された移動速度とを比較するステップと、（ハ）比較結果に応じて、移動局と無線基地局との間の通信に用いられる周波数帯を選択するステップとを備えることを要旨とする。
【発明の効果】
【００３２】
本発明によると、移動局が、所定の通信品質が悪化するような移動速度で移動する場合であっても、当該所定の通信品質を向上させ、無線容量を増大させることができる移動通信システム及び移動通信方法を提供することができる。
【発明を実施するための最良の形態】
【００３３】
次に、図面を参照して、本発明の第１及び第２の実施の形態を説明する。以下の図面の記載において、同一又は類似の部分には、同一又は類似の符号を付している。ただし、図面は模式的なものであることに留意すべきである。
【００３４】
尚、本実施の形態では、国際標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）によって規格化されているＷ−ＣＤＭＡに適用されるシステムについて記述する。
【００３５】
図１に、本発明の第１及び第２の実施の形態に係る移動通信システム１を示す。移動通信システム１には、図１に示すように、複数の移動局１００ａ〜１００ｄと、複数の無線基地局２００ａ，２００ｂと、無線回線制御局３００とが含まれる。移動局１００ａ〜１００ｄと、無線基地局２００ａ，２００ｂとは、特定の周波数帯、例えば、２ＧＨｚ帯と８００ＭＨｚ帯のように、複数の離れた周波数帯を使用して通信することによって、無線リンクを確立する。無線回線制御局３００は、複数の無線基地局２００ａ，２００ｂを制御する。
【００３６】
尚、Ｗ−ＣＤＭＡ方式の通信システムは、現在２ＧＨｚ帯を用いて商用サービスが行われているが、８００ＭＨｚ帯を用いることも承認されている（３ＧＰＰ  Ｔｄｏｃ  Ｒ４−０３０２５３参照）。従って、Ｗ−ＣＤＭＡ方式の通信システムにおいては、複数の、離れた周波数帯である２ＧＨｚ帯と、８００ＭＨｚ帯とを使用して商用サービスを行うことも可能である。
【００３７】
＜第１の実施の形態＞
（移動通信システム）
図２を参照して、第１の実施の形態に係る移動通信システム１の各構成について詳細に説明する。移動局１００ａは、通信部１１０と、推定部１２０と、比較部１３０と、閾値記憶部１４０と、選択部１５０と、通知部１６０と、検出部１７０とを備える。
【００３８】
通信部１１０は、無線基地局２００ａとの間に確立される無線リンクを介して無線基地局２００ａに備えられる通信部２１０と信号を送受信する。
【００３９】
推定部１２０は、移動速度若しくは移動速度の増減に伴って増減する値である移動速度情報を推定する推定手段である。移動速度情報を推定する方法の一例を以下に示す。ここでは、移動速度情報として、チャネル推定値の時間相関値の逆数が用いられる。
【００４０】
ここで、チャネル推定値とは、フェージング変動に起因する受信信号の位相及び振幅の変動を推定する推定値である。推定部１２０は、通信部１１０を介して取得するパイロット信号を用いてチャネル推定値を算出することができる。尚、パイロット信号とは、上り回線においては、個別パイロット、下り回線においては、共通パイロットをいう。
【００４１】
チャネル推定値の時間相関値Ｃorr(τ)は、例えば、チャネル推定値Ｃ(t)を用いて、以下のように計算することができる。
2006074265.tif 000003
【００４２】
即ち、時間相関値は、時刻ｔの時点におけるチャネル推定値Ｃ(t)と、時刻ｔの時点から所定の時間τ前におけるチャネル推定値Ｃ(t-τ)の相関値である。ここで、（１）式中のτを遅延時間と呼ぶ。
【００４３】
図３に時間相関値と遅延時間との関係を示す。チャネル推定値は、フェージングの影響によって変動するため、図３に示されるように、遅延時間が大きくなるほど時間相関値は小さくなる。又、遅延時間を大きくすることによる時間相関値の減少は、フェージング変動が速いほど急峻になる。従って、適当な遅延時間Ｔにおける時間相関値値Ｃorr(T)が大きければフェージング変動は遅く、Ｃorr(T)が小さければフェージング変動が速いと判断することができる。尚、Ｔは、受信信号の平均化を行う際の平均化時間幅である。
【００４４】
更に、フェージング変動は、移動局の移動速度が速いほど速いため、Ｃorr(T)が大きければ移動速度が遅く、Ｃorr(T)が小さければ移動速度が速いと判断することができる。即ち、遅延時間Ｔにおける時間相関値の逆数｛Ｃorr(T)}-1は移動速度が速くなるほど大きくなり、移動速度が遅くなるほど小さくなるため、時間相関値の逆数は、移動局の移動速度の増減に伴って増減する値であり、移動速度情報である。
【００４５】
従って、推定部１２０は、パイロット信号を用いてチャネル推定値を計算し、以下の（２）式を計算することによって、移動速度情報を推定することができる。
2006074265.tif 000004
尚、移動速度情報の推定方法は上述したように、移動通信システムで受信される受信信号（下り信号）を用いる方法に限定されず、例えば、ＧＰＳから位置情報を取得し、適当な時間間隔における位置の変化の割合を算出することによって推定することができる。
【００４６】
比較部１３０は、推定部１２０によって推定された移動速度情報を推定部１２０から取得し、後述する閾値記憶部１４０に記憶される閾値と、推定部１２０によって推定された移動速度情報とを比較する比較手段である。
【００４７】
ここで、閾値とは、移動速度によって変動する所定の通信品質が、所望のレベルになる移動速度情報の特定の値をいう。所定の通信品質とは、移動速度によって変動する所定の品質であり、例えば、チャネル推定精度の劣化の度合い、インターリーブ効果の大きさ、ユーザダイバーシチ効果の大きさ等である。所定の通信品質が、所望のレベルとなる移動速度情報の特定の値は、移動速度情報の変化に対する所定の通信品質の変化の様子から定められる。尚、移動速度情報の変化に対する所定の通信品質の変化の様子は、実験又はシミュレーションによって求められる。
【００４８】
Ｗ−ＣＤＭＡ方式では、パイロット信号を用いたチャネル推定によって推定されたチャネル推定値を用いて同期検波が行われる。このため、フェージングによりチャネル推定精度が劣化すると、ＲＡＫＥ受信の性能が悪化し、例えばＢＬＥＲ（Ｂｌｏｃｋ  Ｅｒｒｏｒ  Ｒａｔｅ）を目標値とするためのＳＩＲ（Ｓｉｇｎａｌ  ｔｏ  Ｉｎｔｅｒｆｅｒｅｎｃｅ  Ｒａｔｉｏ）が増大する。図４（ａ）に、移動速度情報に対する、所要ＳＩＲ（ＢＬＥＲを目標値とするために必要な信号対干渉の電力比）を示す。図４（ａ）より、例えば、所要ＳＩＲが、ｘ１となる移動速度情報であるｖ１を閾値に定めてもよい。
【００４９】
又、図４（ｂ）に示すように、周波数ドリフトの影響によりチャネル推定精度が劣化すると、信号電力が増加する。従って、例えば、増加する信号電力がｘ２となる移動速度情報であるｖ２を閾値に定めてもよい。
【００５０】
更には、インターリーブ効果が低くなると、例えばＦＥＲ（Ｆｒａｍｅ  Ｅｒｒｏｒ  Ｒａｔｅ）を目標値とするためのＳＩＲが増大する。図４（ｃ）より、例えば、所要ＳＩＲ（ＦＥＲを目標値とするために必要な信号対干渉の電力比）が、ｘ３となる移動速度情報であるｖ３を閾値に定めてもよい。
【００５１】
又、ユーザダイバーシチ効果の１つであるスループットの改善を考慮して閾値を定めるため、図４（ｄ）に示すような、移動速度情報とスループットとの関係から、スループットがｘ４となる移動速度情報であるｖ４を閾値に定めてもよい。
【００５２】
閾値記憶部１４０は、上述したように、考慮すべき所定の品質に応じて求められる閾値を記憶する。
【００５３】
選択部１５０は取得した比較結果に応じて、移動局１００ａと無線基地局２００ａとの間の通信に用いられる周波数帯を選択する選択手段である。尚、選択部１５０は、比較部１３０から、閾値と移動速度情報との比較結果を取得する。
【００５４】
選択部１５０は、所定の通信品質が所望のレベルを下回る場合に、当該所定の通信品質を上げることを目的として適切な周波数帯を選択する。例えば、所定の通信品質がチャネル推定精度又はユーザダイバーシチ効果の大きさである場合には、所定の通信品質は、移動速度情報が閾値を上回ることによって所望のレベルを下回る。このため、選択部１５０は、移動速度情報が閾値を上回る場合に、低い周波数帯を選択する。一方、所定の通信品質がインターリーブ効果の大きさである場合には、所定の通信品質は、移動速度情報が閾値を下回ることによって所望のレベルを下回る。このため、選択部１５０は、移動速度情報が閾値を下回る場合に、高い周波数帯を選択する。
【００５５】
通知部１６０は、推定部１２０によって推定された移動速度情報、比較部１３０による比較結果、選択部１５０によって選択された周波数帯のいずれかを、通信部１１０と、無線基地局２００ａとを介して無線回線制御局３００に通知する第２の通知手段である。尚、通知部１６０は、移動速度情報を、比較部１３０と選択部１５０とを介して推定部１２０から取得し、比較結果を、選択部１５０を介して比較部１３０から取得し、選択された周波数帯を選択部１５０から取得する。
【００５６】
検出部１７０は、無線リンクを確立すべき無線基地局２００ａ，２００ｂを検出するセルサーチの際に、選択部１５０によって選択された周波数帯で無線リンクを確立できる無線基地局２００ａ，２００ｂを検出する検出手段である。
【００５７】
尚、セルサーチは、移動局１００ａの電源投入時、移動局１００ａがソフトハンドオーバーモードに入る前、又は、移動局１００ａが待ち受け状態である際に行われる。又、移動局１００ａは、セルサーチによって、無線リンクを確立できる無線基地局が特定できた場合に、移動通信システムの各種パラメーターや、周辺セルに関する情報等を定期的に、又は、イベントが発生した場合に受信するための報知チャネルや、着信の有無を通知するためのページングチャネルを捕捉する。
【００５８】
無線基地局２００ａは通信部２１０を備える。通信部２１０は、移動局１００ａに備えられる通信部１１０、及び、無線回線制御局３００に備えられる通信部３１０と信号を送受信する。
【００５９】
無線回線制御局３００は、通信部３１０と、比較部３２０と、閾値記憶部３３０と、選択部３４０と、割当部３５０とを備える。
【００６０】
通信部３１０は、無線基地局２００ａに備えられる通信部２１０と信号を送受信する。
【００６１】
比較部３２０は、比較部１３０と同様、移動速度情報と閾値記憶部３３０に記憶される閾値とを比較する比較手段である。但し、比較部３２０は、通信部３１０と、無線基地局２００ａの通信部２１０と、移動局１００ａの通信部１１０とを介して、通知部１６０から移動速度情報を取得する。
【００６２】
閾値記憶部３３０は、閾値記憶部１４０と同様、考慮すべき所定の品質に応じて求められる閾値を記憶する。
【００６３】
選択部３４０は、選択部１５０と同様、取得した比較結果に応じて、移動局１００ａと無線基地局２００ａとの間の通信に用いられる周波数帯を選択する選択手段である。尚、選択部３４０は、比較部３２０から、閾値と移動速度情報との比較結果を取得する。
【００６４】
割当部３５０は、移動局１００ａが、発信する際又は着信する際に、選択部１５０又は選択部３４０によって選択された周波数帯に属するチャネルを割り当てる割当手段である。
【００６５】
尚、比較部と閾値記憶部と選択部とは、移動局１００ａ又は無線回線制御局３００のいずれか一方に備えられていてもよい。例えば、比較部及と選択部と閾値記憶部とが移動局１００ａのみに備えられている場合には、通知部１６０は、選択部１５０によって選択された周波数帯を無線回線制御局３００に通知する。或いは、比較部と閾値記憶部が移動局１００ａのみに備えられており、選択部が無線回線制御局３００のみに備えられている場合には、通知部１６０は、比較部１３０による比較結果を無線回線制御局３００に通知する。
【００６６】
（移動通信方法）
次に、第１の実施の形態に係る移動通信方法について、図５〜図１５を用いて説明する。
【００６７】
図５は、移動局１００ａの電源が投入された際に、セルサーチを行う方法を示すフローチャートである。尚、ここでは、所定の通信品質は、チャネル推定精度の劣化の度合い等、移動局の移動速度が速いほど悪化する通信品質であるものとする。
【００６８】
ステップＳ１０１において、電源が投入される。
【００６９】
ステップＳ１０２において、推定部１２０が、移動速度情報を推定する。
【００７０】
ステップＳ１０３において、比較部１３０が、移動速度情報と、閾値とを比較し、移動速度情報が閾値を上回る場合には、ステップＳ１０４の処理が行われる。
【００７１】
ステップＳ１０４において、選択部１５０が、選択しうる最低の周波数帯を選択する。
【００７２】
ステップＳ１０５において、検出部１７０が、選択された周波数帯で無線リンクを確立しうる無線基地局を検出するセルサーチを行う。
【００７３】
ステップＳ１０６において、検出部１７０が、無線基地局が検出されたか否かを判断する。
【００７４】
ステップＳ１０６において無線基地局が検出されたと判断された場合には、ステップＳ１０７において、検出部１７０が、検出された無線基地局に位置登録要求を行い、無線リンクを確立する。
【００７５】
ステップＳ１０８において、移動局は当該無線基地局からページングを受信する待ち受け状態となる。
【００７６】
ステップＳ１０６において無線基地局が検出されなかったと判断された場合には、ステップＳ１０９において、検出部１７０が、次に低い周波数帯が存在するか否かを判断する。
【００７７】
ステップＳ１０９において次に低い周波数帯があると判断された場合には、ステップＳ１１０において、検出部１７０が、当該周波数帯でセルサーチを行う。その後、ステップＳ１０６〜Ｓ１１１の処理が行われる。
【００７８】
ステップＳ１０９において次に低い周波数帯がないと判断された場合には、ステップＳ１１１において、検出部１７０が、セルサーチに失敗したと判断する。
【００７９】
一方、ステップＳ１０３において移動速度情報が閾値を上回らないと判断された場合は、ステップＳ１１２において、選択部１５０が、任意の周波数帯を選択する。
【００８０】
ステップＳ１１３において、検出部１７０が、選択された周波数帯でセルサーチを行う。
【００８１】
ステップＳ１１４において、検出部１７０が、無線基地局が検出されたか否かを判断する。
【００８２】
ステップＳ１１４において無線基地局が検出されなかったと判断された場合には、ステップＳ１１５において、検出部１７０が、セルサーチに失敗したと判断する。
【００８３】
図６は、図５と同様、移動局１００ａの電源が投入された際に、セルサーチを行う方法を示すフローチャートである。但し、ここでは、所定の通信品質は、インターリーブ効果の大きさ等、移動局の移動速度が遅いほど悪化する通信品質であるものとする。以下、図５と異なる処理が行われるステップについて説明する。
【００８４】
ステップＳ２０３において、比較部１３０が、移動速度情報と、閾値とを比較し、移動速度情報が閾値を下回る場合に、ステップＳ２０４の処理が行われる。
【００８５】
又、ステップＳ２０６において無線基地局が検出されなかったと判断された場合には、ステップＳ２０９において、次に高い周波数帯が存在するか否かが判断される。
【００８６】
ステップＳ２０９において次に高い周波数帯が存在すると判断された場合には、ステップＳ２１０において、検出部１７０が当該周波数帯でセルサーチを行う。
【００８７】
図７は、移動局１００ａが待ち受け状態である際に、セルサーチを行う方法を示すフローチャートである。尚、ここで、所定の通信品質は、チャネル推定精度の劣化の度合い等、移動局の移動速度が速いほど悪化する通信品質であるものとする。
【００８８】
ステップＳ３０１において、移動局１００ａは、ｆ１の周波数帯に属するチャネルで無線基地局からページングを受信する待ち受け状態にある。待ち受け状態においては、移動局のバッテリーセービングのため、及び、異なる周辺セルを捕捉するために、例えば、１〜２秒程度に１フレームのみを受信している。移動局は残りの時間で、以下の処理を行う。
【００８９】
ステップＳ３０２において、推定部１２０が、パイロット信号を用いてチャネル推定値の時間相関値Ｃorr(T)を計算することによって、移動速度情報を推定する。
【００９０】
ステップＳ３０３において、比較部１３０が、時間相関値の逆数と閾値とを比較し、時間相関値の逆数が閾値を上回るか否かを判断する。
【００９１】
ステップＳ３０３において時間相関値の逆数が閾値を上回ると判断された場合は、ステップＳ３０４において、選択部１５０が、ｆ１より低い周波数帯ｆ２を選択する。
【００９２】
ステップＳ３０５において、検出部１７０が、選択された周波数帯ｆ２でセルサーチを行う。
【００９３】
ステップＳ３０６において、検出部１７０が、無線リンクを確立すべき無線基地局が検出されたか否かを判断する。
【００９４】
ステップＳ３０６において無線リンクを確立すべき無線基地局が検出されたと判断された場合には、ステップＳ３０７において、検出部１７０が、当該無線基地局２００ａに位置登録要求を行い、無線リンクを確立する。
【００９５】
ステップＳ３０８において、移動局はｆ２の周波数帯に属するチャネルで当該無線基地局からページングを受信する待ち受け状態となる。
【００９６】
ステップＳ３０３において時間相関値の逆数が閾値を上回らないと判断された場合、又は、ステップＳ３０６において選択された周波数帯で、無線基地局が検出されなかったと判断された場合には、ステップＳ３０９において、移動局１００ａは、周波数帯ｆ１に属するチャネルで無線基地局からページングを受信する待ち受け状態となる。
【００９７】
図８は、図７と同様、移動局１００ａが待ち受け状態である際に、セルサーチを行う方法を示すフローチャートである。但し、ここでは、所定の通信品質は、インターリーブ効果の大きさ等、移動局の移動速度が遅いほど悪化する通信品質であるものとする。以下、図７と異なる処理が行われるステップについて説明する。
【００９８】
ステップＳ４０３において、比較部１３０が、移動速度情報と、閾値とを比較し、移動速度情報が閾値を下回る場合に、ステップＳ４０４において、選択部１５０が、ｆ１より高い周波数帯ｆ２を選択する。
【００９９】
図９は、移動局１００ａが待ち受けの際にページングを受信する周波数帯を、無線回線制御局３００が選択する方法を示すフローチャートである。尚、ここで、所定の通信品質は、チャネル推定精度の劣化の度合い等、移動局の移動速度が速いほど悪化する通信品質であるものとする。
【０１００】
ステップＳ５０１において、通信部３１０が、移動局１００ａから移動速度情報を受信する。移動速度情報は、例えば、移動局１００ａから無線回線制御局３００に送信される制御信号に含まれて送信される。
【０１０１】
ステップＳ５０２において、比較部３２０が、取得した移動速度情報と閾値とを比較する。
【０１０２】
ステップＳ５０２において移動速度情報が閾値を上回ると判断された場合には、ステップＳ５０３において、選択部３４０が、現在使用している周波数帯より低い周波数帯を選択する。
【０１０３】
ステップＳ５０４において、通信部３１０が、選択された周波数帯を移動局１００ａに通知する。
【０１０４】
尚、ステップＳ５０２において比較部３２０が、移動速度情報が閾値を上回らないと判断した場合には、ステップＳ５０４において、通信部３１０が、当初の周波数帯を移動局１００ａに通知する。
【０１０５】
図１０は、図９と同様、移動局１００ａが待ち受けの際にページングを受信する周波数帯を、無線回線制御局３００が選択する方法を示すフローチャートである。但し、ここでは、所定の通信品質は、インターリーブ効果の大きさ等、移動局の移動速度が遅いほど悪化する通信品質であるものとする。以下、図９と異なる処理が行われるステップについて説明する。
【０１０６】
ステップＳ６０２において移動速度情報が閾値を下回ると判断された場合には、ステップＳ６０３において、選択部３４０が、現在使用している周波数帯より高い周波数帯を選択する。
【０１０７】
図１１は、移動局１００ａが待ち受けの際にページングを受信する周波数帯を、無線回線制御局３００が選択する方法を示すシーケンス図である。尚、以下において、移動局１００ａと無線回線制御局３００との間の信号の送受信は、無線基地局２００ａの通信部２１０を介して行われる。
【０１０８】
ステップＳ７０１において、移動局１００ａの通信部１１０が、無線回線制御局３００に、位置登録エリア変更要求を送信し、無線回線制御局３００の通信部３１０が当該位置登録エリア変更要求を受信する。位置登録エリア変更要求には、移動速度情報が含まれる。
【０１０９】
ステップＳ７０２において、比較部３２０が、受信した位置登録エリア変更要求に含まれている移動速度情報と閾値とを比較する。
【０１１０】
ステップＳ７０３において、選択部３４０が、ステップＳ７０２における比較結果に応じて、使用する周波数帯を選択する。
【０１１１】
ステップＳ７０４において、通信部３１０が、移動局１００ａの通信部１１０に位置登録エリア変更応答を送信する。位置登録エリア変更応答には、選択された周波数帯が含まれる。
【０１１２】
尚、ステップＳ７０１において送受信される位置登録エリア変更要求は、制御信号の一例である。移動局１００ａは、種々の制御信号に移動速度情報を含めて無線回線制御局３００に送信することができる。
【０１１３】
図１２は、移動局１００ａからの発信又は移動局１００ａへの着信がある際に、無線回線制御局３００が通信用のチャネルを設定する方法を示すフローチャートである。尚、ここで、所定の通信品質は、チャネル推定精度の劣化の度合い等、移動局の移動速度が速いほど悪化する通信品質であるものとする。
【０１１４】
ステップＳ８０１において、無線回線制御局３００の通信部３１０が、移動局１００ａの通信部１１０から移動速度情報を受信する。移動速度情報は、発信又は着信があった場合に設定される制御チャネルを介して送信される。
【０１１５】
ステップＳ８０２において、比較部３２０が、取得した移動速度情報と閾値とを比較する。
【０１１６】
ステップＳ８０２において移動速度情報が閾値を上回ると判断された場合には、ステップＳ８０３において、選択部３４０が、低い周波数帯を選択する。
【０１１７】
一方、ステップＳ８０２において、移動速度情報が閾値を上回らないと判断された場合には、選択部３４０は、任意の周波数帯を選択する。
【０１１８】
ステップＳ８０３において、割当部３５０が、選択された周波数帯に属するチャネルを割り当てる。
【０１１９】
図１３は、図１２と同様、移動局１００ａからの発信又は着信がある際に、無線回線制御局３００が通信用のチャネルを設定する方法を示すフローチャートである。但し、ここでは、所定の通信品質は、インターリーブ効果の大きさ等、移動局の移動速度が遅いほど悪化する通信品質であるものとする。以下、図１２と異なる処理が行われるステップについて説明する。
【０１２０】
ステップＳ９０２において移動速度情報が閾値を下回ると判断された場合には、ステップＳ９０３において、選択部３４０が、高い周波数帯を選択する。
【０１２１】
一方、ステップＳ９０２において、移動速度情報が閾値を下回らないと判断された場合には、ステップＳ９０５において、選択部３４０が、任意の周波数帯を選択する。
【０１２２】
図１４は、移動局１００ａからの発信がある際に、無線回線制御局３００が通信用のチャネルを設定する方法を示すシーケンス図である。
【０１２３】
ステップＳ１００１において、移動局１００ａの通信部１１０が、無線回線制御局３００の通信部３１０に発信要求が送信し、無線回線制御局３００の通信部３１０が、当該発信要求を受信する。
【０１２４】
ステップＳ１００２において、無線回線制御局３００の通信部３１０が、無線基地局２００ａにコネクション設定要求を送信し、無線基地局２００ａの通信部２１０が当該コネクション設定要求を受信する。
【０１２５】
ステップＳ１００３において、無線基地局２００ａの通信部２１０が、無線回線制御局３００の通信部３１０にコネクション設定応答を送信し、無線回線制御局３００の通信部３１０が、当該コネクション設定応答を受信する。
【０１２６】
ステップＳ１００４において、無線回線制御局３００の通信部３１０が、制御チャネルコネクション設定要求を移動局１００ａの通信部１１０に送信し、移動局１００ａの通信部１１０が当該制御チャネルコネクション設定要求を受信する。
【０１２７】
ステップＳ１００５において、移動局１００ａの通信部１１０が無線回線制御局３００の通信部３１０に制御チャネルコネクション設定応答を送信し、無線回線制御局３００の通信部３１０が当該制御チャネルコネクション設定応答を受信する。当該、制御チャネルコネクション設定応答には、移動速度情報が含まれる。
【０１２８】
ステップＳ１００６において、無線回線制御局３００の比較部３２０が、制御チャネルコネクション設定応答に含まれる移動速度情報と閾値とを比較する。
【０１２９】
ステップＳ１００７において、選択部３４０が、ステップＳ１００６における比較結果に応じて周波数帯を選択する。
【０１３０】
ステップＳ１００８において、割当部３５０が、選択された周波数帯に属するチャネルを割り当てる。
【０１３１】
ステップＳ１００９において、無線回線制御局３００の通信部３１０が、移動局１００ａの通信部１１０に周波数帯通知を送信し、移動局１００ａの通信部１１０が当該周波数帯通知を受信する。
【０１３２】
ステップＳ１０１０において、無線回線制御局３００の通信部３１０は、要求された発信呼用の周波数帯を切り替える。
【０１３３】
ステップＳ１０１１において、移動局１００ａの通信部１１０は、通信チャネルの周波数帯を、受信した周波数帯に切り替える。
【０１３４】
ステップＳ１０１２において、移動局１００ａの通信部１１０は、割り当てられた通信チャネルを介して、ユーザーデータを送受信する。
【０１３５】
図１５は、移動局１００ａに対する発信要求があった場合に、無線回線制御局３００が通信用のチャネルを設定する方法を示すシーケンス図である。
【０１３６】
ステップＳ１１０１において、移動局１００ａの通信部１１０が、無線回線制御局３００の通信部３１０が送信するページングを受信する。
【０１３７】
ステップＳ１１０２、移動局１００ａの通信部１１０が、無線回線制御局３００の通信部３１０にコネクション設定要求を送信し、無線回線制御局３００の通信部３１０が、当該コネクション設定要求を受信する。
【０１３８】
ステップＳ１１０３〜ステップＳ１１１３は、図１４におけるステップＳ１００２〜ステップＳ１０１２と同様であるため、説明を省略する。
【０１３９】
（作用及び効果）
第１の実施の形態に係る移動通信システム及び移動通信方法によると、比較部１３０又は比較部３２０は、移動速度によって変動する所定の通信品質が、所望のレベルになる移動速度情報の特定の値である閾値と、推定部１２０によって推定された移動速度情報とを比較し、選択部１５０又は選択部３４０は、比較部１３０又は比較部３２０による比較結果に基づいて、使用する周波数帯を選択する。従って、移動局が、所定の通信品質が悪化するような移動速度で移動する場合であっても、当該所定の通信品質を向上させ、無線容量を増大させることができる。
【０１４０】
尚、本発明は、ＣＤＭＡ（Ｃｏｄｅ  Ｄｉｖｉｓｉｏｎ  Ｍｕｌｔｉｐｌｅ  Ａｃｃｅｓｓ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）等、種々のアクセス方式を用いたシステムに適用することができる。
【０１４１】
又、所定の通信品質としてチャネル推定精度の劣化の度合いが考慮される場合には、選択部１５０又は選択部３４０は、チャネル推定精度の劣化の度合いを考慮した明確な基準に基づいて使用する周波数帯を選択する。従って、移動局１００ａが、チャネル推定精度が劣化するような高速な移動速度で移動する場合であっても、フェージング変動や周波数ドリフトの影響を抑え、チャネル推定精度を向上させることができる。
【０１４２】
更に、チャネル推定精度は、使用する周波数帯が高いほど、又、移動局１００ａの移動速度が速いほど大きくなるフェージング変動や周波数ドリフトの影響によって劣化する。従って、選択部１５０又は選択部３４０が、移動速度情報が閾値を上回る場合に、低い周波数帯を選択することによって、移動局１００ａが高速で移動する場合でも、フェージング変動や周波数ドリフトの影響を抑え、チャネル推定精度を上げることができる。
【０１４３】
又、所定の通信品質としてインターリーブ効果の大きさが考慮される場合には、選択部１５０又は選択部３４０は、チャネル推定精度の劣化の度合いを考慮した明確な基準に基づいて使用する周波数帯を選択する。従って、移動局１００ａが、インターリーブ効果が小さくなるような低速な移動速度で移動する場合であっても、フェージング変動の影響を抑え、インターリーブ効果を大きくすることができる。
【０１４４】
更に、フェージング変動が遅い場合に、インターリーブ効果が小さくなる。又、フェージング変動は、使用する周波数帯が低いほど、又、移動局１００ａの移動速度が遅いほど遅くなる。従って、選択部１５０又は選択部３４０が、移動速度情報が閾値を下回る場合に、高い周波数帯を選択することによって、移動局１００ａが低速で移動する場合でも、移動局が高速で移動する場合でも、フェージング変動の影響を抑え、インターリーブ効果を上げることができる。
【０１４５】
又、所定の通信品質として共有チャネルのユーザダイバーシチ効果の大きさが考慮される場合には、選択部１５０又は選択部３４０は、チャネル推定精度の劣化の度合いを考慮した明確な基準に基づいて使用する周波数帯を選択する。従って、移動局１００ａが、ユーザダイバーシチ効果が小さくなるような高速な移動速度で移動する場合であっても、フェージング変動の影響を抑え、ユーザダイバーシチ効果を大きくすることができる。
【０１４６】
更に、共有チャネルのユーザダイバーシチ効果は、フェージング変動が速いほど小さくなる。又、フェージング変動は、使用する周波数帯が高いほど、又、移動局１００ａの移動速度が速いほど速くなる。従って、選択部１５０又は選択部３４０が、移動速度情報が閾値を上回る場合に、低い周波数帯を選択することによって、移動局１００ａが高速で移動する場合でも、フェージング変動を抑え、ユーザダイバーシチ効果を上げることができる。更に、ユーザダイバーシチ効果の１つである、スループットの増大を図ることができる。
【０１４７】
又、チャネル推定精度の劣化の度合いや、インターリーブ効果の大きさ、共有チャネルのユーザダイバーシチ効果の大きさを考慮して、使用する周波数帯を選択することによって、無線品質を向上させることができるため、通信のために必要な送信電力を抑制できる。又、通信のために必要な送信電力を抑制することによって、無線容量の増大を図ることができる。
【０１４８】
又、移動局１００ａの電源投入時や、ソフトハンドオーバの前、又は、待ち受け状態に行われるセルサーチにおいて、検出部１７０は、所望の通信品質を考慮した明確な基準に基づいて選択された周波数帯で無線リンクを確立できる無線基地局を検出するため、移動局１００ａと無線基地局２００ａとの間で、所望の通信品質を考慮した明確な基準に基づいて選択された周波数帯で無線リンクが確立される。従って、移動局１００ａが、所定の通信品質が悪化するような移動速度で移動する場合であっても、当該所定の通信品質を向上させ、無線容量を増大させることができる。
【０１４９】
更に、移動局１００ａが発信する際又は着信する際に、割当部３５０が、選択部１５０又は選択部３４０によって選択された周波数帯に属するチャネルを割り当てるため、所望の通信品質を考慮した明確な基準に基づいて選択された周波数帯に属するチャネルが、発信又は着信した呼のために割り当てられる。従って、移動局１００ａが、所定の通信品質が悪化するような移動速度で移動する場合であっても、当該所定の通信品質を向上させ、無線容量を増大させることができる。
【０１５０】
又、推定部１２０は、移動速度情報を、チャネル推定値、又は、ＧＰＳによって検出される位置情報から推定するため、従来の移動通信システムにおいて送受信されていた信号に基づいて、移動速度情報が推定される。
【０１５１】
更に、移動局１００ａによって移動速度情報が測定されるため、移動局が自律的に適切な周波数帯を選択することが可能となり、ネットワークの負荷を低減することができる。又、通知部１６０は移動速度情報、比較結果、又は、選択された周波数帯のうち、少なくともいずれか１つを無線基地局２００ａに通知するため、移動速度情報等は、無線基地局２００ａを介して無線回線制御局３００に送信される。このため、無線回線制御局３００によって、適切な周波数帯を選択することが可能である。
【０１５２】
＜第２の実施の形態＞
（移動通信システム）
図１６を参照して、第２の実施の形態に係る移動通信システム１の各構成について詳細に説明する。第１の実施の形態と同様の機能を果たす部分には、同じ記号を付して説明を省略する。
【０１５３】
第２の実施の形態においては、推定部と、比較部と、閾値記憶部と、選択部と、通知部とが移動局１００ｃに備えられておらず、無線基地局２００ｂに備えられている。
【０１５４】
移動局１００ｃは、通信部１１０と、検出部１７０とを備える。
【０１５５】
無線基地局２００ｂは、通信部２１０と、推定部２２０と、比較部２３０と、閾値記憶部２４０と、選択部２５０と、通知部２６０とを備える。
【０１５６】
推定部２２０は、移動速度若しくは移動速度の増減に伴って増減する値である移動速度情報を推定する推定手段である。推定部２２０は、第１の実施の形態における推定部１２０と同様に移動速度情報を推定することができる。例えば、推定部２２０は、移動局１００ｃの通信部１１０からの受信信号を元に、（２）式の計算を行うことによって、チャネル推定値の時間相関値の逆数を求める。
【０１５７】
比較部２３０は、第１の実施の形態における比較部１３０と同様、推定部２２０によって推定された移動速度情報を推定部２２０から取得し、後述する閾値記憶部２４０に記憶される閾値と、推定部２２０によって推定された移動速度情報とを比較する比較手段である。
【０１５８】
閾値記憶部２４０は、第１の実施の形態における閾値記憶部１４０と同様、考慮すべき所定の品質に応じて求められる閾値を記憶する。
【０１５９】
選択部２５０は、第１の実施の形態における選択部２５０と同様、取得した比較結果に応じて、移動局１００ｃと無線基地局２００ｂとの間の通信に用いられる周波数帯を選択する選択手段である。尚、選択部２５０は、比較部２３０から、閾値と移動速度情報との比較結果を取得する。
【０１６０】
通知部２６０は、推定部２２０によって推定された移動速度情報、比較部２３０による比較結果、選択部２５０によって選択された周波数帯のいずれかを、通信部２１０を介して無線回線制御局３００に通知する第１の通知手段である。尚、通知部２６０は、移動速度情報を、比較部２３０と選択部２５０とを介して推定部２２０から取得し、比較結果を、選択部２５０を介して比較部２３０から取得し、選択された周波数帯を選択部２５０から取得する。
【０１６１】
（移動通信方法）
次に、第２の実施の形態に係る移動通信方法について説明する。第２の実施の形態に係る移動通信方法は、図５〜図１５に示される第１の実施の形態に係る移動通信方法と同様に行われる。
【０１６２】
但し、移動局１００ｃが移動速度情報を推定することができないため、図５〜図８に示されるように、移動局１００ｃが移動速度情報を推定し、セルサーチを行うことはできない。尚、移動局１００ｃが、無線基地局２００ｂから移動速度情報の通知を受けることができれば、移動局１００ｃは、セルサーチを行うことができる。
【０１６３】
又、図９〜図１５に示されるように、無線回線制御局３００が周波数帯を選択する際には、無線回線制御局３００は、無線基地局２００ｂから移動速度情報を取得する。
【０１６４】
(作用及び効果)
第２の実施の形態に係る移動通信システム及び移動通信方法によると、第１の実施形態における移動局１００ａ、無線基地局２００ｂ及び無線回線制御局３００によって得られる効果と同様の効果が得られる。
【０１６５】
但し、移動局１００ｃではなく、無線基地局２００ｂが移動速度情報を推定し、無線回線制御局３００に通知することによって、無線回線制御局３００は、適切な周波数帯を選択することが可能となる。
【０１６６】
又、第１の実施の形態とは異なり、移動局ではなく、ネットワーク側で周波数帯を選択するため、周波数帯を選択する際に、移動速度以外の事情も考慮に入れた総合的な判断が可能になる。
【０１６７】
（その他の実施の形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【０１６８】
例えば、図５におけるステップＳ１１２や、図６におけるステップＳ２１２では、選択部１５０は、移動速度情報が閾値を上回らない（下回らない）と判断された場合には、選択部１５０は、任意の周波数帯を選択することとしている。この場合には、所定の通信品質が所望のレベルを下回らないと判断されるためである。しかし、選択部１５０は、ステップＳ１１２においては高い周波数帯、ステップＳ２１２においては低い周波数帯を選択することとしてもよい。又、図７〜図１５に示される方法についても同様に、所定の通信品質が所望のレベルを下回らないと判断された場合には、当該所定の通信品質を悪化させるような周波数帯を選択してもよい。
【０１６９】
これによれば、所定の通信品質が所望のレベルを下回る場合に割り当てられる周波数帯を確保することができる。
【０１７０】
更に、その際、２つの閾値を設け、移動速度情報が２つの閾値の間の値であれば、任意の周波数帯を選択する、もしくは、周波数帯の切替を行わないこととしてもよい。
【０１７１】
これによれば、周波数帯が切り替えられる頻度を抑えることができる。
【０１７２】
又、閾値記憶部１４０，２４０，３３０は、所定の通信品質として、チャネル推定精度の劣化の度合いを考慮した閾値、インターリーブ効果の大きさを考慮した閾値と、共有チャネルのユーザダイバーシチ効果の大きさを考慮した閾値との３つとを記憶し、選択部１５０，２５０，３４０は、移動速度情報とそれぞれの閾値との比較結果に応じて、選択する周波数帯の優先順位を定めるように構成されていてもよい。
【０１７３】
これによれば、所定の通信品質として、上述した３つの通信品質を考慮して使用する周波数帯を選択することができる。
【図面の簡単な説明】
【０１７４】
【図１】第１及び第２の実施の形態に係る移動通信システムを示す図である。
【図２】第１の実施の形態に係る移動通信システムの各構成を示すブロック図である。
【図３】時間相関値と遅延時間との関係を示す図である。
【図４】移動速度情報の変化に対する所定の通信品質の変化の様子を示す図である。
【図５】移動局の電源が投入された際に、セルサーチを行う方法を示すフローチャートである（その１）。
【図６】移動局の電源が投入された際に、セルサーチを行う方法を示すフローチャートである（その２）。
【図７】移動局が待ち受け状態である際に、セルサーチを行う方法を示すフローチャートである（その１）。
【図８】移動局が待ち受け状態である際に、セルサーチを行う方法を示すフローチャートである（その２）。
【図９】移動局が待ち受けの際にページングを受信する周波数帯を、無線回線制御局が選択する方法を示すフローチャートである（その１）。
【図１０】移動局が待ち受けの際にページングを受信する周波数帯を、無線回線制御局が選択する方法を示すフローチャートである（その２）。
【図１１】、移動局が待ち受けの際にページングを受信する周波数帯を、無線回線制御局が選択する方法を示すシーケンス図である。
【図１２】、移動局からの発信又は着信がある際に、無線回線制御局が通信用のチャネルを設定する方法を示すフローチャートである（その１）。
【図１３】、移動局からの発信又は着信がある際に、無線回線制御局が通信用のチャネルを設定する方法を示すフローチャートである（その２）。
【図１４】、移動局からの発信がある際に、無線回線制御局が通信用のチャネルを設定する方法を示すシーケンス図である。
【図１５】、移動局に対する発信要求があった場合に、無線回線制御局が通信用のチャネルを設定する方法を示すシーケンス図である。
【図１６】第２の実施の形態に係る移動通信システムの各構成を示すブロック図である。
【符号の説明】
【０１７５】
１…移動通信システム
１００ａ〜１００ｄ…移動局
１１０…通信部
１２０…推定部
１３０…比較部
１４０…閾値記憶部
１５０…選択部
１６０…通知部
１７０…検出部
２００ａ，２００ｂ…無線基地局
２１０…通信部
２２０…推定部
２３０…比較部
２４０…閾値記憶部
２５０…選択部
２６０…通知部
３００…無線回線制御局
３１０…通信部
３２０…比較部
３３０…閾値記憶部
３４０…選択部
３５０…割当部
【図１】
2006074265.tif 000005
【図２】
2006074265.tif 000006
【図３】
2006074265.tif 000007
【図４】
2006074265.tif 000008
【図５】
2006074265.tif 000009
【図６】
2006074265.tif 000010
【図７】
2006074265.tif 000011
【図８】
2006074265.tif 000012
【図９】
2006074265.tif 000013
【図１０】
2006074265.tif 000014
【図１１】
2006074265.tif 000015
【図１２】
2006074265.tif 000016
【図１３】
2006074265.tif 000017
【図１４】
2006074265.tif 000018
【図１５】
2006074265.tif 000019
【図１６】
2006074265.tif 000020